(57)【要約】【課題】浴室の壁部と隣接する側壁と対向する側において浴槽の形状の自由度が高められる床パンおよびこれを備える浴室ユニットを提供する。【解決手段】床パン２０は、平面視において長手方向を有する浴槽６０が設置されている浴槽設置部３０を備える。浴槽設置部３０は、浴槽６０の底壁６５が設置されている浴槽部分３１と、浴槽６０の長手方向に沿う第１の側壁６１に隣接する浴室の壁部５０が設置されている第１の縁部３０Ａと、浴槽部分３１と第１の縁部３０Ａとの間に設けられる背面部分３２とを、配管設置部３９を備える。配管設置部３９は、背面部分３２に設けられ、浴室の外部から浴室内の吐水部に水を供給する配管８０を設置する。浴槽部分３１から第１の縁部３０Ａに向かう方向における配管設置部３９の大きさは、浴槽６０の頂部に設けられるフランジ６１Ａの幅ＬＡ内である。【選択図】図３
2018003478.tif 000002
【特許請求の範囲】
【請求項１】
平面視において長手方向を有する浴槽が設置される浴槽設置部を備え、
前記浴槽設置部は、前記浴槽の底壁が設置される浴槽部分と、
前記浴槽の長手方向に沿う側壁に隣接する浴室の壁部が設置される縁部と、
前記浴槽部分と前記縁部との間に設けられる背面部分とを備え、
前記背面部分に設けられ、前記浴室の外部から前記浴室内の吐水部に水を供給する配管を設置する配管設置部とを備え、
前記浴槽部分から前記縁部に向かう方向における前記配管設置部の大きさは、前記浴槽の頂部に設けられるフランジの幅内である
床パン。
【請求項２】
前記配管設置部は、前記背面部分と一体に形成されている
請求項１に記載の床パン。
【請求項３】
複数の前記配管設置部を備え、
複数の前記配管設置部は、前記縁部に沿って一列に並べられる
請求項１また２に記載の床パン。
【請求項４】
前記背面部分から上方に突出する基部を備え、
前記配管設置部は、筒形状を有し、前記基部の上方に設けられ、
前記基部には、複数の前記配管設置部が設けられ、
前記基部および複数の前記配管設置部は、前記背面部分と一体に形成されている
請求項１〜３のいずれか一項に記載の床パン。
【請求項５】
前記基部および複数の前記配管設置部は、前記浴槽の長手方向に沿う側壁の長手方向の中央寄りに配置されている
請求項４に記載の床パン。
【請求項６】
請求項１〜５のいずれか一項に記載の床パンと、
平面視において長手方向を有し、前記床パンの浴槽設置部に配置されている浴槽と、
前記浴槽設置部のうちの前記浴槽の長手方向に沿う側壁に隣接する浴室の壁部とを備える
浴室ユニット。
【発明の詳細な説明】
【技術分野】
【０００１】
本発明は、浴室内の吐水部に水を供給する配管が設置される床パンおよびこれを備える浴室ユニットに関する。
【背景技術】
【０００２】
床パンを備える浴室ユニットが知られている。特許文献１は、床パンとしての防水パンを備える浴室ユニットの一例を開示している。特許文献１の防水パンは、浴槽が載置される浴槽載置部を備える。浴槽は、平面視において長手方向を有する。浴槽は、長手方向に沿い、浴室の壁部と隣接する第１の側壁、および、第１の側壁と対向する第２の側壁を備える。浴槽載置部のうちの第２の側壁側の部分には、浴室の外部から浴室内の吐水部に水を供給する配管を設置するための開口部が設けられる。
【先行技術文献】
【特許文献】
【０００３】
【特許文献１】特開２０００−８１２２２号公報
【発明の概要】
【発明が解決しようとする課題】
【０００４】
上記浴室ユニットは、浴槽の第２の側壁を第１の側壁側に凹ませたり、第１の側壁とは反対側に突出させたりして配管を設置するためのスペースを確保している。このため、浴槽の洗い場側の形状が制限される。
【課題を解決するための手段】
【０００５】
本発明に関する床パンの一形態は、平面視において長手方向を有する浴槽が設置される浴槽設置部を備え、前記浴槽設置部は、前記浴槽の底壁が設置される浴槽部分と、前記浴槽の長手方向に沿う側壁に隣接する浴室の壁部が設置される縁部と、前記浴槽部分と前記縁部との間に設けられる背面部分とを備え、前記背面部分に設けられ、前記浴室の外部から前記浴室内の吐水部に水を供給する配管を設置する配管設置部とを備え、前記浴槽部分から前記縁部に向かう方向における前記配管設置部の大きさは、前記浴槽の頂部に設けられるフランジの幅内である。
【０００６】
本発明に関する浴室ユニットの一形態は、前記床パンと、平面視において長手方向を有し、前記床パンの浴槽設置部に配置されている浴槽と、前記浴槽設置部のうちの前記浴槽の長手方向に沿う側壁に隣接する浴室の壁部とを備える。
【発明の効果】
【０００７】
上記床パンおよびこれを備える浴室ユニットは、浴室の壁部と隣接する側壁と対向する側において浴槽の形状の自由度が高められる。
【図面の簡単な説明】
【０００８】
【図１】実施の形態の浴室ユニットの斜視図である。
【図２】図１の床パンの平面図である。
【図３】図１の３−３線の断面図である。
【図４】図２の配管ユニットの斜視図である。
【図５】図１の浴室ユニットの配管を示す斜視図である。
【図６】図５の配管が取り付けられる前の配管ユニットの斜視図である。
【図７】図６の配管ユニットの配管が取り付けられた状態の斜視図である。
【図８】変形例の床パンの平面図である。
【発明を実施するための形態】
【０００９】
（床パンおよびこれを備える浴室ユニットが取り得る形態の一例）
〔１〕本発明に従う床パン２０の一形態は、平面視において長手方向を有する浴槽６０が設置される浴槽設置部３０を備える。前記浴槽設置部３０は、前記浴槽６０の底壁６５が設置される浴槽部分３１と、前記浴槽６０の長手方向に沿う側壁６１に隣接する浴室の壁部５０が設置される縁部３０Ａと、前記浴槽部分３１と前記縁部３０Ａとの間に設けられる背面部分３２と、配管設置部３９とを備える。配管設置部３９は、前記背面部分３２に設けられ、前記浴室の外部から前記浴室内の吐水部７０に水を供給する配管８０を設置する。前記浴槽部分３１から前記縁部３０Ａに向かう方向における前記配管設置部３９の大きさは、前記浴槽６０の頂部に設けられるフランジ６１Ａの幅ＬＡ内である。
【００１０】
上記床パンによれば、配管設置部が浴槽の側壁と、この側壁と隣接する浴室の壁部との間の背面部分に設けられる。このため、浴室の壁部と隣接する側壁と対向する側において浴槽の形状の自由度が高められる。
【００１１】
〔２〕前記床パン２０の一例によれば、前記配管設置部３９は、前記背面部分３２と一体に形成されている。
上記床パンによれば、配管設置部が背面部分と一体に形成されているため、水漏れが生じにくい。
【００１２】
〔３〕前記床パン２０の一例によれば、複数の前記配管設置部３９を備え、複数の前記配管設置部３９は、前記縁部３０Ａに沿って一列に並べられる。
上記床パンによれば、複数の配管設置部が一列に並べられるため、背面部分の幅を狭くすることができる。
【００１３】
〔４〕前記床パン２０の一例によれば、前記背面部分３２から上方に突出する基部３８を備え、前記配管設置部３９は、筒形状を有し、前記基部３８の上方に設けられ、前記基部３８には、複数の前記配管設置部３９が設けられ、前記基部３８および複数の前記配管設置部３９は、前記背面部分３２と一体に形成されている。
上記床パンによれば、配管設置部が直接的に背面部分から突出している場合と比較して、配管設置部の長さを短くできる。
【００１４】
〔５〕前記床パン２０の一例によれば、前記基部３８および複数の前記配管設置部３９は、前記浴槽６０の長手方向に沿う側壁６１の長手方向の中央寄りに配置されている。
上記床パンによれば、浴槽設置部の角に基部および配管設置部が配置されないため、浴槽設置部の角に床パンを支持する支持脚を設けるためのスペースを確保できる。
【００１５】
〔６〕本発明に関する浴室ユニット１０の一形態は、前記床パン２０と、平面視において長手方向を有し、前記床パン２０の浴槽設置部３０に配置されている浴槽６０と、前記浴槽設置部３０のうちの前記浴槽６０の長手方向に沿う側壁６２に隣接する浴室の壁部５１とを備える。
上記浴室ユニットによれば、浴槽の洗い場側の形状の自由度を高めることができる。
【００１６】
（実施の形態）
図１に示されるとおり、浴室ユニット１０は、床パン２０、壁部５０、浴槽６０、吐水部７０、および、配管８０（図３参照）を備える。床パン２０の下方には、床パン２０を支持する架台（図示略）および架台に取り付けられて架台および床パン２０の床面からの高さを調整可能な複数の支持脚１２が設けられる。
【００１７】
図２に示されるとおり、床パン２０は、長方形状を有する。床パン２０は、浴槽設置部３０および洗い場４０を備える。床パン２０の大きさは、例えば長方形状の長辺が１．６メートル、かつ、長方形状の短辺が１．２メートルである。この場合、浴槽設置部３０の大きさは、例えば長方形状の長辺が１．２メートル、かつ、長方形状の短辺が０．８メートルである。また、洗い場４０の大きさは、例えば長方形状の長辺が１．２メートル、かつ、長方形状の短辺が０．８メートルである。つまり、浴槽設置部３０と洗い場４０の大きさはほぼ等しい。
【００１８】
浴槽設置部３０は、長方形状を有する。浴槽設置部３０は、第１の縁部３０Ａ、第２の縁部３０Ｂ、第３の縁部３０Ｃ、および、第４の縁部３０Ｄを備える。第１の縁部３０Ａおよび第２の縁部３０Ｂは、浴槽設置部３０の長方形状の長辺に相当する。第３の縁部３０Ｃおよび第４の縁部３０Ｄは、浴槽設置部３０の長方形状の短辺に相当する。第１の縁部３０Ａは、「浴室の壁部５０が設置される縁部」に相当する。
【００１９】
浴槽設置部３０は、浴槽部分３１、背面部分３２、前面部分３３、側面部分３４、および、配管ユニット３７を備える。浴槽部分３１は、浴槽設置部３０の中央に位置し、浴槽６０の底壁６５が設置されている。背面部分３２は、浴槽部分３１と第１の縁部３０Ａとの間に設けられる。前面部分３３は、浴槽部分３１と第２の縁部３０Ｂとの間に設けられる。側面部分３４は、浴槽部分３１と第３の縁部３０Ｃとの間、および、浴槽部分３１と第４の縁部３０Ｄとの間に設けられる。
【００２０】
浴槽設置部３０には、２つの浴槽側排水口３５が形成される。浴槽側排水口３５は、少なくとも一部が浴槽部分３１に設けられる。浴槽側排水口３５の一方は、浴槽設置部３０のうちの第２の縁部３０Ｂかつ第３の縁部３０Ｃ寄りに形成されている。浴槽側排水口３５の他方は、浴槽設置部３０のうちの第２の縁部３０Ｂ寄りかつ第４の縁部３０Ｄ寄りに形成されている。浴槽６０の底壁６５には、図示しない複数の排水口が形成されている。浴槽６０の排水口は、それぞれ浴槽側排水口３５と対応する位置に形成されている。
【００２１】
浴槽設置部３０には、４つの支持脚調整部３６が設けられる。支持脚調整部３６は、図１に示される支持脚１２の上方に設置され、支持脚１２の高さ調整機構を操作可能な貫通孔（図示略）および貫通孔を閉鎖する蓋３６Ａを有する。
【００２２】
図３に示されるとおり、配管ユニット３７は、背面部分３２に設けられる。配管ユニット３７は、基部３８および複数の配管設置部３９を備える。配管ユニット３７は、背面部分３２と一体に形成されている。すなわち、基部３８は、背面部分３２と一体に形成されている。配管設置部３９は、背面部分３２と一体に形成されている。図２に示されるとおり、配管ユニット３７は、浴槽６０の長手方向において第１の側壁６１の中央寄りに配置される。第１の側壁６１の長手方向における配管ユニット３７の中央と、第１の側壁６１の中央とは実質的に一致する。
【００２３】
図４に示されるとおり、基部３８は、背面部分３２から上方に突出する。背面部分３２は、長方形状を有する。複数の配管設置部３９は、それぞれ筒形状を有し、基部３８の上方に設けられる。配管設置部３９は、例えば６つ設けられる。複数の配管設置部３９は、それぞれ同一の形状および外径を有する。配管設置部３９の外径および内径は、配管設置部３９に設置されている配管８０（図５参照）に要求される給水能力に応じて設定されている。具体的には、配管設置部３９に設置されている配管８０のうち、要求される給水能力が高い配管８０の給水能力を満たす外径および内径が設定されている。複数の配管設置部３９は、第１の縁部３０Ａに沿って一列に並べられる。基部３８および配管設置部３９は、上方から下方に向かうにつれて外径および内径が大きくなることが好ましい。これによって浴槽設置部３０を一体に形成した後に、浴槽設置部３０を成形型（図示略）から抜きやすくなる。配管ユニット３７が背面部分３２と一体に形成されているため、別体の配管ユニット３７を背面部分３２に取り付ける場合と比較して、配管ユニット３７を取り付けのためのスペースを省略できる。このため、背面部分３２の省スペース化に貢献できる。また、配管ユニット３７を取り付けるための部品を省略できるため、浴室ユニット１０の部品点数の削減に貢献できる。
【００２４】
図３に示されるとおり、基部３８の頂面の位置は、洗い場４０の表面の位置よりも僅かに低い。配管設置部３９の頂面の位置は、洗い場４０の表面の位置よりも高い。このため、浴槽設置部３０に水が溜まった場合であっても、配管設置部３９に水が達し難い。
【００２５】
図２に示されるとおり、洗い場４０は、長方形状を有する。洗い場４０は、第１の縁部４０Ａ、第２の縁部４０Ｂ、第３の縁部４０Ｃ、および、第４の縁部４０Ｄを備える。第１の縁部４０Ａおよび第２の縁部４０Ｂは、洗い場４０の長方形状の長辺に相当する。第３の縁部４０Ｃおよび第４の縁部４０Ｄは、洗い場４０の長方形状の短辺に相当する。洗い場４０の第１の縁部４０Ａは、浴槽設置部３０の第２の縁部３０Ｂに連結されている。洗い場４０の第１の縁部４０Ａおよび第２の縁部４０Ｂの長さと、浴槽設置部３０の第１の縁部３０Ａおよび第２の縁部３０Ｂの長さとは実質的に等しい。浴槽設置部３０の第１の縁部３０Ａおよび洗い場４０の第２の縁部４０Ｂは、床パン２０の長方形状の短辺を構成する。浴槽設置部３０の第３の縁部３０Ｃおよび洗い場４０の第３の縁部４０Ｃは、床パン２０の長方形状の長辺の一方を構成する。浴槽設置部３０の第４の縁部３０Ｄおよび洗い場４０の第４の縁部４０Ｄは、床パン２０の長方形状の長辺の他方を構成する。
【００２６】
洗い場４０には、第１の排水口４１および第２の排水口４２が形成されている。第１の排水口４１は、洗い場４０のうちの第２の側壁６２寄り、かつ、第２の側壁６２の長手方向の一方の端部寄り（第３の縁部４０Ｃ寄り）に形成されている。第２の排水口４２は、洗い場４０のうちの第２の側壁６２寄り、かつ、第２の側壁６２の長手方向の他方の端部寄り（第４の縁部４０Ｄ寄り）に形成されている。第１の排水口４１および第２の排水口４２は、第２の側壁６２およびスカート６６を挟んで浴槽側排水口３５と対応する位置に配置されている。
【００２７】
図１に示されるとおり、壁部５０は、浴槽設置部３０の第１の縁部３０Ａ、浴槽設置部３０の第３の縁部３０Ｃ、洗い場４０の第３の縁部４０Ｃ、浴槽設置部３０の第４の縁部３０Ｄ、および、洗い場４０の第４の縁部４０Ｄに設置されている。壁部５０の一部には、ユーザが出入り可能な出入口部（図示略）が設けられる。
【００２８】
浴槽６０は、長方形状を有する。浴槽６０は、水平面において長手方向を有する。浴槽６０は、第１の側壁６１、第２の側壁６２、第３の側壁６３、第４の側壁６４、および、底壁６５を備える。第１の側壁６１および第２の側壁６２は、浴槽６０の長手方向に沿う。第３の側壁６３および第４の側壁６４は、浴槽６０の短手方向に沿う。
【００２９】
浴槽６０は、第１の側壁６１が壁部５０のうちの浴室ユニット１０の奥側の第１の壁部５１と隣接するように浴槽設置部３０に設置されている。第１の側壁６１は、浴槽設置部３０の第１の縁部３０Ａと隣接する。第２の側壁６２は、第１の側壁６１と対向する。第２の側壁６２は、洗い場４０と隣接する。第３の側壁６３は、第１の側壁６１の一方の端部と第２の側壁６２の一方の端部とを接続する。第４の側壁６４は、第１の側壁６１の他方の端部と第２の側壁６２の他方の端部とを接続する。第２の側壁６２の洗い場４０側には、スカート６６が取り付けられる。
【００３０】
第１の側壁６１は、頂部において浴槽６０の外側に延びるフランジ６１Ａを有する。第２の側壁６２は、頂部において浴槽６０の外側に延びるフランジ６２Ａを有する。第３の側壁６３は頂部において浴槽６０の外側に延びるフランジ６３Ａを有する。第４の側壁６４は頂部において浴槽６０の外側に延びるフランジ６４Ａを有する。第２の側壁６２の幅ＬＢ、第３の側壁６３の幅ＬＣ、および、第４の側壁６４のフランジ６４Ａの幅ＬＤは、実質的に等しい。図３に示されるとおり、第１の側壁６１のフランジ６１Ａの幅ＬＡは、第２の側壁６２のフランジ６２Ａの幅ＬＢよりも大きい。浴槽６０の洗い場４０（図１参照）側のフランジ６２Ａの幅ＬＢを狭くすることによって、ユーザはフランジ６２Ａを掴んで浴槽６０に出入りすることができる。フランジ６２Ａの幅ＬＡを広くすることによって、浴槽６０の内部にいるユーザが第１の側壁６１側の第１の壁部５１に触れずに身体を傾けることができるスペースを大きく取ることができる。ここで、例えば底壁６５と第１の側壁６１とがなす角の角度が９０〜９６度の範囲に含まれるようにする。また、フランジ６２Ａ〜６４Ａの幅ＬＢ、幅ＬＣ、および幅ＬＤは例えば、７センチメートルであり、フランジ６１Ａの幅ＬＡは、例えば、１０センチメートルである。浴槽部分３１から第１の縁部３０Ａに向かう方向における配管設置部３９の大きさは、浴槽６０の頂部に設けられるフランジ６１Ａの幅ＬＡ内である。
【００３１】
図５に示されるとおり、吐水部７０は、第１の壁部５１に設けられる。一例では、吐水部７０は、水および湯を混合して吐出可能な混合水栓である。吐水部７０は、蛇口７１を備える。別の例では、吐水部７０は、シャワーを備える。吐水部７０は、複数設けることもできる。また、吐水部７０を浴槽６０のフランジ６１Ａ，６２Ａ，６３Ａ，６４Ａに設けることもできる。
【００３２】
配管８０は、浴室ユニット１０の外部から浴室内の吐水部７０に水および湯を供給する。配管８０は、上流配管８１および下流配管８２を備える。上流配管８１は、浴室ユニット１０の外部の水または湯の供給源（図示略）から配管ユニット３７にわたって配置されている。上流配管８１は、浴槽設置部３０の下方から配管ユニット３７に接続されている。下流配管８２は、配管ユニット３７から吐水部７０にわたって配置されている。下流配管８２は、配管ユニット３７の上方から壁部５０の裏面を通過し、吐水部７０に接続されている。配管８０は、吐水部７０の数および種類等に応じて設けられる。配管８０としては、例えば、水の供給管、湯の供給管、および、浴槽６０内の水を浴槽６０と加熱部（図示略）との間で循環させて追い炊きするための配管が挙げられる。
【００３３】
図６および図７を参照して、配管８０の配管ユニット３７への設置方法について説明する。
図６に示されるとおり、配管ユニット３７に配管８０が設置される前の状態において、配管ユニット３７の配管設置部３９の頂部３９Ａは全て閉鎖されている。頂部３９Ａの中心には、目印部３９Ｂが設けられている。目印部３９Ｂは、例えば凹部である。作業者は、複数の配管設置部３９のうちの配管８０を設置する配管設置部３９のみについて、目印部３９Ｂを目印にしてホールソー（図示略）等の工具で頂部３９Ａを開口する。次に、作業者は、図７に示す上流配管８１の下流側端部８１Ａを配管ユニット３７の下方から開口させた配管設置部３９に挿入する。次に、作業者は、上流配管８１の下流側端部８１Ａにシート８１Ｂを巻きつける。次に、作業者は、配管設置部３９の頂部３９Ａ側からブーツ８３を被せる。次に、作業者は、ブーツ８３をバンド部材８４等によって配管設置部３９および上流配管８１の下流側端部８１Ａに巻きつける。次に、作業者は下流配管８２の上流側端部８２Ａを上流配管８１の下流側端部８１Ａに取り付ける。上流配管８１と下流配管８２とは、アダプタを介して取り付けることができる。また、上流配管８１および下流配管８２のそれぞれに取り付け構造を設けて上流配管８１と下流配管８２とを接続することもできる。
【００３４】
浴室ユニット１０によれば、以下の効果を得られる。
床パン２０には、背面部分３２に配管設置部３９が設けられている。このため、洗い場４０側の浴槽６０の形状の自由度を高めることができる。また、第１の側壁６１のフランジ６１Ａの幅を大きくすることによって生じる第１の側壁６１と壁部５０との間の空間を有効活用することができるため、洗い場４０または浴槽６０が小さくなることを抑制できる。
【００３５】
（変形例）
上記実施の形態に関する説明は本発明に従う床パンおよび浴室ユニットが取り得る形態の例示であり、その形態を制限することを意図していない。本発明に従う床パンおよび浴室ユニットは実施の形態以外に例えば以下に示される実施の形態の変形例、および、相互に矛盾しない少なくとも２つの変形例が組み合わせられた形態を取り得る。
【００３６】
・浴室ユニット１０の構成は、任意に変更可能である。図８は、床パン２０の変形例を示す。図８の床パン２０は、浴槽設置部３０および洗い場１４０を備える。洗い場１４０は、Ｌ字形状を有する。洗い場１４０は、第１の縁部１４０Ａ、第２の縁部１４０Ｂ、第３の縁部１４０Ｃ、第４の縁部１４０Ｄを備える。第１の縁部１４０Ａは、Ｌ字形状を有する。第１の縁部１４０Ａは、浴槽設置部３０の第２の縁部３０Ｂおよび第３の縁部３０Ｃと連結される。このため、浴槽設置部３０の第３の縁部３０Ｃには、洗い場１４０が隣接する。床パン２０は、方形状を有する。この場合、床パン２０のサイズは、例えば一辺が１．６メートル四方である。
【００３７】
・配管ユニット３７の構成は、任意に変更可能である。例えば、配管ユニット３７から基部３８を省略することもできる。この場合、配管設置部３９が直接的に背面部分３２から上方に突出する。
【００３８】
・配管ユニット３７の構成は、任意に変更可能である。例えば、配管ユニット３７を背面部分３２と別体に形成し、背面部分３２に取り付けることもできる。この場合、背面部分３２のうちの配管ユニット３７を取り付ける部分を上方に突出させることもできる。これによって、背面部分３２と配管ユニット３７との取り付け部分に配管設置部３９に漏れた水が達することを抑制できる。
【００３９】
・配管ユニット３７の構成は、任意に変更可能である。例えば、配管ユニット３７を第３の縁部３０Ｃまたは第４の縁部３０Ｄ寄りに設けることもできる。
・配管ユニット３７の構成は、任意に変更可能である。例えば、配管設置部３９を１つのみ設けることもできる。
【００４０】
・複数の配管設置部３９の構成は、任意に変更可能である。例えば、複数の配管設置部３９の少なくとも一部を第１の縁部３０Ａに沿って二列以上に配置することもできる。また、複数の配管設置部３９のうちの一部の配管設置部３９の外径を他の配管設置部３９の外径と異ならせることもできる。
【００４１】
・浴槽設置部３０の構成は、任意に変更可能である。例えば、配管８０を設置するための設置部を浴槽設置部３０の洗い場４０側に設けることもできる。この場合も、配管８０の少なくとも一部が背面部分３２に設けられるため、浴槽設置部３０の洗い場４０に設ける配管の設置部の数を少なくすることができる。このため、浴槽６０の第２の側壁６２側において浴槽６０の形状の自由度を高めることができる。
【符号の説明】
【００４２】
１０  ：浴室ユニット
２０  ：床パン
３０  ：浴槽設置部
３０Ａ：第１の縁部
３１  ：浴槽部分
３２  ：背面部分
３８  ：基部
３９  ：配管設置部
５０  ：壁部
６０  ：浴槽
６１Ａ：フランジ
６１  ：第１の側壁
６２  ：第２の側壁
６５  ：底壁
７０  ：吐水部
８０  ：配管
ＬＡ  ：幅
【図１】
2018003478.tif 000003
【図２】
2018003478.tif 000004
【図３】
2018003478.tif 000005
【図４】
2018003478.tif 000006
【図５】
2018003478.tif 000007
【図６】
2018003478.tif 000008
【図７】
2018003478.tif 000009
【図８】
2018003478.tif 000010